(57)【要約】      （修正有）【課題】複数のゲーム競技者が互いの腰部の後面にベルト部材にスライド可能に、かつ着脱可能に垂下されているタグ部材を奪い合ってその数を競うタグ争奪競技に使用されるタグ争奪競技用ベルトを提供する。【解決手段】ゲーム競技者の腰部に巻回されているベルト部材２にはスライド部材５によってゲーム競技者の後面にスライド可能に、かつ着脱可能に上部を固定されて垂下する細長なタグ部材３が位置付けられ、このタグ部材を互いに奪い合う競技に使用されるタグ争奪競技用ベルト１である。【選択図】図１
0003224424.tif 000002
【実用新案登録請求の範囲】
【請求項１】
複数のゲーム競技者の腰部から垂下されているタグ部材を夫々の前記ゲーム競技者が互いに奪い合ってその数を競う争奪ゲームに使用されるベルトであって、該ベルトは前記ゲーム競技者の腰部に巻回されるベルト部材と該ベルト部材にスライド可能に、かつ着脱可能にその上部を固定して垂下する細長な前記タグ部材とからなることを特徴とするタグ争奪競技用ベルト。
【請求項２】
前記ベルト部材には奪い取ったタグ部材を収納する箱体が着脱可能に垂下されることを特徴とする請求項１に記載のタグ争奪競技用ベルト。
【考案の詳細な説明】
【技術分野】
【０００１】  本考案は、複数のゲーム競技者がゲーム参加者の腰部に着脱可能に垂下されている細長なタグ部材を争奪し合ってその数を競うタグ争奪ゲームに使用されるタグ争奪競技用ベルトに関する。
【背景技術】
【０００２】  このタグ争奪ゲームは、例えば英国等において行われているタグラグビーのようにゲーム競技者が夫々のゲーム競技者の腰部に着脱可能に垂下されているタグ部材を奪い合ってその数を競い合うものからなりその様子の概要が図６に示されている。
図示のように夫々のゲーム競技者４の腰部にはタグ争奪競技用ベルト１ｂが設けられている。タグ争奪競技用ベルト１ｂは腰部に巻回されるベルト部材２ｂとこれに着脱可能に垂下支持されているタグ部材３ｂとから形成されている。このタグ争奪競技用ベルトをやることによりゲーム競技者４は走り、つかまえる、かまえる、フェイント等の機敏な動作を身につけることが出来る。【０００３】  図５は従来のタグ争奪競技用ベルト１ｂを示すものであり、図示のようにタグ部材３ｂはゲーム競技者４の腰部に巻回されているベルト部材２ｂの後部に固定されている。このタグ争奪競技用ベルトにおいてはベルト部材２ｂの任意の位置にタグ部材３ｂを固定すると奪う場合の容易差に差がつくため必ずベルト部材２ｂの後部にタグ部材３ｂを設ける必要がある。しかしながらベルト部材２ｂを腰部に巻回する場合にゲーム競技者４が一定の位置に巻回するとは限らずタグ部材３ｂが常にゲーム競技者４の後面に位置するとは限らず公平を欠く問題があった。
【考案の概要】
【考案が解決しようとする課題】
【０００４】  本考案は、以上の問題点を解決すべく考案されたものであり、ベルト部材の腰部への巻回位置の変化に拘らずタグ部材を常にゲーム競技者の後面に位置づけることが出来、構造簡単で安価に実施出来るタグ争奪競技用ベルトを提供することを目的とする。また、この競技は奪い合ったタグ部材の数を競うものであり、そのためには取得したタグ部材を紛失することなく保管出来る箱体をベルトに取り付けておくことが便利であり、本考案ではこの箱体を設けることも考案の１つとした。
【課題を解決するための手段】
【０００５】  本考案は、以上の目的を達成するために請求項１の考案は、複数のゲーム競技者の腰部から垂下されているタグ部材を夫々の前記ゲーム競技者が互いに奪い合ってその数を競う争奪ゲームに使用されるベルトであって、該ベルトは前記ゲーム競技者の腰部に巻回されるベルト部材と該ベルト部材にスライド可能に、かつ着脱可能にその上部を固定して垂下する細長な前記タグ部材とからなることを特徴とする。【０００６】  また、請求項２の考案は、前記ベルト部材には奪い取ったタグ部材を収納する箱体が着脱可能に垂下されることを特徴とする。
【考案の効果】
【０００７】  本考案の請求項１のタグ争奪競技用ベルトによれば、ゲーム競技者のベルト部材の腰部に対する巻回位置にずれていてもタグ部材がスライド可能に取り付けられるため競技においてはタグ部材をゲーム競技者の正しい後面の位置に配置することが出来るためゲームの公平さを常に確保することが出来る。また、タグ部材はベルト部材に着脱可能に固着するものであり、ゲーム競技者のある程度の引っ張り力が作用しなければ取り外すことが出来ず、ゲームの確実化を図ることが出来る。【０００８】  また、本考案の請求項２のタグ争奪競技用ベルトによれば、ゲーム中に相手のゲーム競技者から奪ったタグ部材を通常は手で持って競技を進めるが単に手で持っているよりベルト部材に取り付けてある箱体に入れることによって、奪い取ったタグ部材が無くなることが防止され、その数を正確に把握することが出来、ゲームの確実化を図ることが出来る。
【図面の簡単な説明】
【０００９】
【図１】  本考案のタグ争奪競技用ベルトの全体構造を示す斜視図。
【図２】  箱体を有する本考案のタグ争奪競技用ベルトの全体構造を示す斜視図。
【図３】  箱体を有する本考案のタグ争奪競技用ベルトの主要構造を示す拡大部分斜視図。
【図４】  箱体を有する本考案のタグ争奪競技用ベルトをゲーム競技者に取り付けた状態を示す模式図。
【図５】  従来のタグ争奪競技用ベルトをゲーム競技者に取り付けた状態を示す模式図。
【図６】  タグ争奪競技用ベルトの状態を示す模式図。
【考案を実施するための形態】
【００１０】  以下、本考案のタグ争奪競技用ベルトの実施の形態を図面で参照して詳説する。
【実施例１】
【００１１】  図１乃至図３に本考案のタグ争奪競技用ベルト１及び１ａの実施の形態を示すが本考案のタグ争奪競技用ベルト１及び１ａはこれに限定するものではない。特にベルト部材の形態やタグ部材をスライド可能に、かつ着脱可能に取り付ける形態についてはこの実施例に限定するものではなく、公知の形態が適用されることは勿論であるが以下ではその実施例については説明を省略する。【００１２】  図１に示すようにベルト部材２は一般に使用されるベルトとほぼ同一の形態のものからなり、端部に設けてある保持具１２にベルト１３の端部１４を挿入することによりゲーム競技者４の腰部に簡単に取り付けることが出来る。【００１３】  このベルト部材２には図１に示すようにスライド部材５が取り付けられている。図２は図１のベルト部材２に箱体６が取り付けられているものが示されている。【００１４】  図３にはスライド部材５と箱体６がより詳しく示されている。この実施例ではスライド部材５はベルト１３の長手方向に沿って移動出来る形態からなり、その背面には固着手段７が設けられている。
また、箱体６はベルト１３に係止具８を介して箱９を垂下する形態のものからなる。スライド部材５及び箱体６はベルト１３の長手方向に移動可能であるが一度位置を決めた場合はベルト１３を腰部に締め付けた場合にはその位置に固定することが出来る。【００１５】  一方、タグ部材３は図１乃至図３に示すように細長いタグ１０の上端に固着手段１１を取り付けたものからなる。【００１６】  固着手段７及び固着手段１１は各種のものが考えられるが、例えば磁石や毛状体のものが使用されるが長期の使用としては磁石の方が望ましい。【００１７】  図４はゲーム競技者４の腰部にタグ争奪競技用ベルト１を取り付けた状態を示す。スライド部材５は前記のようにベルト１３の長手の自由位置に位置付けることが出来るためベルト１３の取り付け位置がゲーム競技者４によって異なっても常に背面の正しい位置に位置付けることが出来、図示のようにタグ部材３を背面の正しい位置に取り付けることが出来る。【００１８】  タグ部材３は固着手段１１により正しい位置に位置付けられたスライド部材５の固着手段７に固着してゲーム競技者４の腰部から垂下することが出来る。なお、固着手段７や固着手段１１はゲーム競技者４のある程度の力によって互いに外れるものであり、タグ部材３の取り外しを円滑に行うことが出来る。
以上により、円滑で楽しいゲームを行うことが出来る。【００１９】    また、スライド部材５や箱体６やタグ部材３等は全て簡単な構造のものからなり、タグ争奪競技用ベルト１及び１ａは安価に形成されることは勿論である。【００２０】    本考案は以上の説明の内容からなるが、その内容に限定するものではなく、同一技術的範疇のものが適用されることは勿論である。
【産業上の利用可能性】
【００２１】  本考案のタグ争奪競技用ベルトは前記のように安価に実施出来ると共に従来のものと相異し、常にゲーム競技者の背面の正しい位置にタグ部材を取り付けることが出来、奪ったタグ部材も箱体に収納出来、公平で楽しいゲームを実施出来、老若男女が利用出来、その利用範囲は極めて広い。
【符号の説明】
【００２２】  １    タグ争奪競技用ベルト
１ａ  タグ争奪競技用ベルト
１ｂ  タグ争奪競技用ベルト
２    ベルト部材
２ｂ  ベルト部材
３    タグ部材
３ｂ  タグ部材
４    ゲーム競技者
５    スライド部材
６    箱体
７    固着手段
８    係止具
９    箱
１０  タグ
１１  固着手段
１２  保持具
１３  ベルト
１４  端部
【図１】
0003224424.tif 000003
【図２】
0003224424.tif 000004
【図３】
0003224424.tif 000005
【図４】
0003224424.tif 000006
【図５】
0003224424.tif 000007
【図６】
0003224424.tif 000008